(57)【特許請求の範囲】
【請求項１】
異種ネットワークに使用するための干渉調整を可能にするための方法において、
トリガー条件が発生する場合、第１低電力ノードにおいて、前記第１低電力ノードが第２低電力ノードに接近するのかを決定する過程と、
前記第１低電力ノードにおいて、前記第１低電力ノードをサービスする基地局（ｅＮＢ）に進入メッセージを送信する過程と、
前記第１低電力ノードにおいて、前記第２低電力ノードの少なくとも一つの測定動作を行うために前記基地局から構成情報を受信する過程と、を含み、
前記第１低電力ノードは前記基地局と通信するユーザ端末（ＵＥ）であり、
前記第２低電力ノードは異種基地局（ｅＮＢ）であり、
前記第１低電力ノードは前記第２低電力ノードの非構成員ＵＥである、
方法。
【請求項２】
前記第２低電力ノードにおいて、セル間干渉調整（ＩＣＩＣ）プロセスを行うための要請を受信する過程を更に含み、
前記ＩＣＩＣプロセスは、ほぼブランクであるサブフレーム（ＡＢＳＦｓ）に関する電力設定調節及び時間ドメインプロセスのうち一つを含む請求項１に記載の方法。
【請求項３】
前記基地局と前記第２低電力ノードとの間でセル間干渉調整（ＩＣＩＣ）プロセスが設定される際、
前記トリガー条件は、前記第２低電力ノードのほぼブランクであるサブフレーム（ＡＢＳＦｓ）の基準信号受信電力（ＲＳＲＰ）、前記第２低電力ノードのＡＢＳＦの基準信号受信品質（ＲＳＲＱ）、前記第２低電力ノードの非−ＡＢＳＦのＲＳＲＰ及び前記第２低電力ノードの非−ＡＢＳＦのＲＳＲＱのうち少なくとも一つを基準にする請求項１に記載の方法。
【請求項４】
前記基地局と前記第２低電力ノードとの間でセル間干渉調整（ＩＣＩＣ）プロセスが設定されていない際、
前記トリガー条件は、前記第２低電力ノードの基準信号受信電力（ＲＳＲＰ）、前記第２低電力ノードの基準信号受信品質（ＲＳＲＱ）及び予め定義されたＬＴＥ測定イベントのうち少なくとも一つを基準にする請求項１に記載の方法。
【請求項５】
異種ネットワークで使用するための干渉調整ができる第１低電力ノードにおいて、
トリガー条件が発生する場合、第１低電力ノードで前記第２低電力ノードに接近するのかを決定し、
前記第１低電力ノードをサービスする基地局（ｅＮＢ）に進入メッセージを送信し、
前記第２低電力ノードの少なくとも一つの測定動作を行うために前記基地局から構成情報を受信するように構成され、
前記第１低電力ノードは前記基地局と通信するユーザ端末（ＵＥ）であり、
前記第２低電力ノードは異種基地局（ｅＮＢ）であり、
前記第１低電力ノードは前記第２低電力ノードの非構成員ＵＥである、第１低電力ノード。
【請求項６】
前記第２低電力ノードはセル間干渉調整（ＩＣＩＣ）プロセスを行うための要請を受信し、
前記ＩＣＩＣプロセスは、ほぼブランクであるサブフレーム（ＡＢＳＦｓ）に関する電力設定調節及び時間ドメインプロセスのうち一つを含む請求項５に記載の第１低電力ノード。
【請求項７】
前記基地局と前記第２低電力ノードとの間でセル間干渉調整（ＩＣＩＣ）プロセスが設定される際、
前記トリガー条件は、前記第２低電力ノードのほぼブランクであるサブフレーム（ＡＢＳＦｓ）の基準信号受信電力（ＲＳＲＰ）、前記第２低電力ノードのＡＢＳＦの基準信号受信品質（ＲＳＲＱ）、前記第２低電力ノードの非−ＡＢＳＦのＲＳＲＰ及び前記第２低電力ノードの非−ＡＢＳＦのＲＳＲＱのうち少なくとも一つを基準にする請求項５に記載の第１低電力ノード。
【請求項８】
前記基地局と前記第２低電力ノードとの間でセル間干渉調整（ＩＣＩＣ）プロセスが設定されていない際、
前記トリガー条件は、前記第２低電力ノードの基準信号受信電力（ＲＳＲＰ）、前記第２低電力ノードの基準信号受信品質（ＲＳＲＱ）及び予め定義されたＬＴＥ測定イベントのうち少なくとも一つを基準にする請求項５に記載の第１低電力ノード。
【請求項９】
干渉調整のために構成された異種ネットワークにおいて、
第１低電力ノードと、
第２低電力ノードと、
前記第１低電力ノードをサービスする基地局（ｅＮＢ）と、を含み、
前記第１低電力ノードは、
トリガー条件が発生する場合、前記第１低電力ノードが第２低電力ノードに接近するのかを決定し、
前記基地局に進入メッセージを送信し、
前記第２低電力ノードの少なくとも一つの測定動作を行うために前記基地局から構成情報を受信するように構成され、
前記第１低電力ノードは前記基地局と通信するユーザ端末（ＵＥ）であり、
前記第２低電力ノードは異種基地局（ｅＮＢ）であり、
前記第１低電力ノードは前記第２低電力ノードの非構成員ＵＥである、異種ネットワーク。
【請求項１０】
前記第２低電力ノードはセル間干渉調整（ＩＣＩＣ）プロセスを行うための要請を受信し、
前記ＩＣＩＣプロセスは、ほぼブランクであるサブフレーム（ＡＢＳＦｓ）に関する電力設定調節及び時間ドメインプロセスのうち一つを含む請求項９に記載の異種ネットワーク。
【請求項１１】
前記基地局と前記第２低電力ノードとの間でセル間干渉調整（ＩＣＩＣ）プロセスが設定される際、
前記トリガー条件は、前記第２低電力ノードのほぼブランクであるサブフレーム（ＡＢＳＦｓ）の基準信号受信電力（ＲＳＲＰ）、前記第２低電力ノードのＡＢＳＦの基準信号受信品質（ＲＳＲＱ）、前記第２低電力ノードの非−ＡＢＳＦのＲＳＲＰ及び前記第２低電力ノードの非−ＡＢＳＦのＲＳＲＱのうち少なくとも一つを基準にする請求項９に記載の異種ネットワーク。
【請求項１２】
前記基地局と前記第２低電力ノードとの間でセル間干渉調整（ＩＣＩＣ）プロセスが設定されていない際、
前記トリガー条件は、前記第２低電力ノードの基準信号受信電力（ＲＳＲＰ）、前記第２低電力ノードの基準信号受信品質（ＲＳＲＱ）及び予め定義されたＬＴＥ測定イベントのうち少なくとも一つを基準にする請求項９に記載の異種ネットワーク。
【請求項１３】
前記少なくとも一つの測定は、
制限された資源での無線リンクモニタリング（ＲＬＭ）、無線資源管理（ＲＲＭ）及びチャネル状態情報（ＣＳＩ）測定のうち少なくとも一つに関している請求項１に記載の方法。
【請求項１４】
前記進入メッセージは、
近接異種基地局指示（ＰＦＩ）メッセージ及び強いメトロ干渉指示（ＳＭＩ）メッセージのうち一つである請求項１に記載の方法。
【請求項１５】
前記少なくとも一つの測定は、
制限された資源での無線リンクモニタリング（ＲＬＭ）、無線資源管理（ＲＲＭ）及びチャネル状態情報（ＣＳＩ）測定のうち少なくとも一つに関している請求項５に記載の第１低電力ノード。
【請求項１６】
前記進入メッセージは、
近接異種基地局指示（ＰＦＩ）メッセージ及び強いメトロ干渉指示（ＳＭＩ）メッセージのうち一つである請求項５に記載の第１低電力ノード。
【請求項１７】
前記少なくとも一つの測定は、
制限された資源での無線リンクモニタリング（ＲＬＭ）、無線資源管理（ＲＲＭ）及びチャネル状態情報（ＣＳＩ）測定のうち少なくとも一つに関している請求項９に記載の異種ネットワーク。
【請求項１８】
前記進入メッセージは、
近接異種基地局指示（ＰＦＩ）メッセージ及び強いメトロ干渉指示（ＳＭＩ）メッセージのうち一つである請求項９に記載の異種ネットワーク。
【発明の詳細な説明】
【技術分野】
【０００１】
本出願は一般的に無線通信に関するものであり、特に異種ネットワークにおける干渉調整（ｉｎｔｅｒｆｅｒｅｎｃｅ  ｃｏｏｒｄｉｎａｔｉｏｎ）を可能にするための方法及びその装置に関するものである。
【背景技術】
【０００２】
異種ネットワーク（ｈｅｔｅｒｏｇｅｎｅｏｕｓ  ｎｅｔ，ＨｅｔＮｅｔ）は、ロングタームエボリューションアドバンス（Ｌｏｎｇ  Ｔｅｒｍ  Ｅｖｏｌｕｔｉｏｎ  Ａｄｖａｎｃｅ，ＬＴＥ−Ａ）標準で提示された性能要求条件を満足するための３ＧＰＰ（３ｒｄ  Ｇｅｎｅｒａｔｉｏｎ  Ｐａｒｔｎｅｒｓｈｉｐ  Ｐｒｏｊｅｃｔ）に対する可能技術のうちの一つとして見なされる。ＨｅｔＮｅｔは、システムで典型的なマクロ（ｍａｃｒｏ）基地局（ｅｖｏｌｖｅｄ  Ｎｏｄｅ−Ｂｓ）と対比される低い送信電力を有する新たなノードの集合を含む。このような新たなノード（例えば、ピコセル（ｐｉｃｏ  ｃｅｌｌｓ）、家庭用基地局（ｈｏｍｅ  ｅＮＢｓ）、フェムトセル（ｆｅｍｔｏ  ｃｅｌｌｓ）、リレー（ｒｅｌａｙｓ）及びそれと類似したもの）は、システムのトポロジー（ｔｏｐｏｌｏｇｙ）を変更して完全に新たな干渉環境下で更に多くの異質的な特性を有するようにするが、ここで多重クラスのノードは同じ無線資源で「競争する（Ｃｏｍｐｅｔｅ）」。
【発明の概要】
【発明が解決しようとする課題】
【０００３】
よって、本開示の実施例は、異種ネットワークにおける干渉調整を可能にするための方法及びその装置を提供するためのものである。
【課題を解決するための手段】
【０００４】
異種ネットワークに使用するための干渉調整（ｉｎｔｅｒｆｅｒｅｎｃｅ  ｃｏｏｒｄｉｎａｔｉｏｎ）を可能にするための方法が提供される。この方法は、トリガー条件が発生する場合、第１低電力ノードで前記第１低電力ノードが第２低電力ノードに接近するのかを決定する過程を含む。前記方法はまた、前記第１低電力ノードで前記第１低電力ノードをサービスする基地局（ｅｖｏｌｖｅｄ  Ｎｏｄｅ−Ｂ，ｅＮＢ）に進入メッセージ（ｅｎｔｅｒｉｎｇ  ｍｅｓｓａｇｅ）を送信する過程を含む。前記方法はまた、第１低電力ノードで前記第２低電力ノードの少なくとも一つの測定動作を行うために前記基地局から構成情報を受信する過程を含む。
【０００５】
異種ネットワークで使用するための干渉調整ができる第１低電力ノードが提供される。前記第１低電力ノードはトリガー条件が発生する場合、前記第１低電力ノードが第２低電力ノードに接近するのかを決定するように構成される。前記第１低電力ノードはまた、前記第１低電力ノードをサービスする基地局（ｅｖｏｌｖｅｄ  Ｎｏｄｅ−Ｂ，ｅＮＢ）に進入メッセージ（ｅｎｔｅｒｉｎｇ  ｍｅｓｓａｇｅ）を送信するように構成される。第１低電力ノードはまた、前記第２低電力ノードの少なくとも一つの測定動作を行うために前記基地局から構成情報を受信するように構成される。
【０００６】
干渉調整のために構成された異種ネットワークが提供される。前記異種ネットワークは、第１低電力ノード、第２低電力ノード及び前記第１低電力ノードをサービスする基地局（ｅｖｏｌｖｅｄ  Ｎｏｄｅ−Ｂ，ｅＮＢ）を含む。前記第１低電力ノードはトリガー条件が発生する場合、前記第１低電力ノードが第２低電力ノードに接近するのかを決定するように構成される。前記第１低電力ノードはまた、前記基地局に進入メッセージ（ｅｎｔｅｒｉｎｇ  ｍｅｓｓａｇｅ）を送信するように構成される。第１低電力ノードはまた、前記第２低電力ノードの少なくとも一つの測定動作を行うために前記基地局から構成情報を受信するように構成される。
【０００７】
本開示の実施例は、異種ネットワークにおける干渉調整を可能にするための第１低電力ノードと第２低電力ノードとの間における具体的な手順を提供する。
【０００８】
下記で発明の具体的な説明を記載する前に、この特許明細書の全般にかけて使用された単語（ｗｏｒｄｓ）及び句（ｐｈｒａｓｅｓ）について定義することが効果的であると思われる。用語「含む（ｉｎｃｌｕｄｅ）」及び「含む（ｃｏｍｐｒｉｓｅ）」のみならずそれらの派生語は、限りなく含む（ｉｎｃｌｕｓｉｏｎ  ｗｉｔｈｏｕｔ  ｌｉｍｉｔａｔｉｏｎ）ことを意味する。用語「または（ｏｒ）」は含むか意味する（ｉｎｃｌｕｓｉｖｅ，ｍｅａｎｉｎｇ）及び／又は、句「〜に関する（ａｓｓｏｃｉａｔｅｄ  ｗｉｔｈ）」及び「それと共に関する（ａｓｓｏｃｉａｔｅｄ  ｔｈｅｒｅｗｉｔｈ）」のみならずそれらの派生語は含む（ｉｎｃｌｕｄｅ）か、どこかの内部に含まれる（ｂｅ  ｉｎｃｌｕｄｅｄ  ｗｉｔｈｉｎ）か、いずれかに相互接続される（ｉｎｔｅｒｃｏｎｎｅｃｔ  ｗｉｔｈ）か、含む（ｃｏｎｔａｉｎ）か、いずれかの内部に含まれる（ｂｅ  ｃｏｎｔａｉｎｅｄ  ｗｉｔｈｉｎ）か、いずれかに又はいずれかと接続される（ｃｏｎｎｅｃｔ  ｔｏ  ｏｒ  ｗｉｔｈ）か、いずれかと通信自在である（ｂｅ  ｃｏｍｍｕｎｉｃａｂｌｅ  ｗｉｔｈ）か、いずれかと協力する（ｃｏｏｐｅｒａｔｅ  ｗｉｔｈ）か、挟まれる（ｉｎｔｅｒｌｅａｖｅ）か、〜と共に配置される（ｊｕｘｔａｐｏｓｅ）か、いずれかに隣接する（ｂｅ  ｐｒｏｘｉｍａｔｅ  ｔｏ）か、いずれかに又はいずれかと境界となる（ｂｅ  ｂｏｕｎｄ  ｔｏ  ｏｒ  ｗｉｔｈ）か、有する（ｈａｖｅ）か、いかなる特性を有する（ｈａｖｅ  ａ  ｐｒｏｐｅｒｔｙ  ｏｆ）か、又はそれと類似したことを意味してもよい。そして、用語「制御機（ｃｏｎｔｒｏｌｌｅｒ）」は少なくとも一つの動作を制御するいずれかの装置（ｄｅｖｉｃｅ）、システム又はその部分（ｓｙｓｔｅｍ  ｏｒ  ｐａｒｔ  ｔｈｅｒｅｏｆ）を意味し、そのような装置はハードウェア、ファームウェア又はソフトウェア（ｈａｒｄｗａｒｅ，ｆｉｒｍｗａｒｅ，ｓｏｆｔｗａｒｅ）で、又はそれらのうち少なくとも２つの組み合わせで具現されてもよい。いずれかの特定制御器に関する機能は、地域的か又は遠隔か（ｌｏｃａｌｌｙ  ｏｒ  ｒｅｍｏｔｅｌｙ）によって集中化されるか分散化され（ｂｅ  ｃｅｎｔｒａｌｉｚｅｄ  ｏｒ  ｄｉｓｔｒｉｂｕｔｅｄ）てもよい。いずれかの単語及び句に対する定義はこの特許明細書の全般にかけて提供され、該当分野の通常の知識を有する者はそのような定義が、大部分ではないが多くの場合、そのように定義された単語及び句に対する従来の使用のみならず未来の使用にも適用されるということを理解すべきである。
【図面の簡単な説明】
【０００９】
本開示及びその効果に対するより完璧な理解のために、添付される図面を参照して下記説明が行われ、ここで同じ参照符号は同じ部分を示す。
【図１】本開示の一実施例による異種ネットワーク（Ｈｅｔｅｒｏｇｅｎｅｏｕｓ  Ｎｅｔｗｏｒｋ）の例を示す図である。
【図２】本開示の一実施例による互いに異なる加入者グループに対する干渉シナリオを示す図である。
【図３】マクロ−フェムトＨｅｔＮｅｔでの閉鎖型フェムト加入者グループ（ｆｅｍｔｏ  ｃｌｏｓｅｄ  ｓｕｂｓｃｒｉｂｅｒ  ｇｒｏｕｐ）における典型的なマクロＵＥの幾何学的分析を示す図である。
【図４】本開示の一実施例によるセル間干渉調整（Ｉｎｔｅｒ−Ｃｅｌｌ  Ｉｎｔｅｒｆｅｒｅｎｃｅ  Ｃｏｏｒｄｉｎａｔｉｏｎ，ｅＩＣＩＣ）の構成手順に対するメッセージフローダイアグラムを示す図である。
【図５】本開示の一実施例による相応する他のｅＩＣＩＣの構成手順に対するメッセージフローダイアグラムを示す図である。
【図６】本開示の一実施例によるｅＩＣＩＣ／ハンドオーバー（ｈａｎｄｏｖｅｒ，ＨＯ）の構成手順に対するメッセージフローダイアグラムを示す図である。
【図７】本開示の一実施例による相応する他のｅＩＣＩＣ／ＨＯの構成手順に対するメッセージフローダイアグラムを示す図である。
【図８】本開示の一実施例によるＲＲＣＣｏｎｎｅｃｔｉｏｎＲｅｃｏｆｉｇｕｒａｔｉｏｎメッセージの「ＯｔｈｅｒＣｏｎｆｉｇ」情報要素を示す図である。
【図９】本発明の一実施例によるＵＥのＰｒｏｘｉｍｉｔｙＦｅｍｔｏＩｎｄｉｃａｔｉｏｎメッセージの「ＰｒｏｘｉｍｉｔｙＦｅｍｔｏＩｎｄｉｃａｔｉｏｎ」情報要素を示す図である。
【発明を実施するための形態】
【００１０】
この特許明細書において、本開示の原理を記述するために使用される、下記で論議される図１乃至図９と多様な実施例は単に実例を示すためのものであり、開示の範囲を限定するいかなるものとしても解釈されてはならない。該当分野で熟練された者は本開示の原理が適切に配列された無線通信システムで具現され得るということを理解できるはずである。
【００１１】
以下のような文書及び標準の説明が本開示で十分に提示されるように本開示に含まれる：
ＲＥＶ−０８００５２、「ＬＴＥ−Ａｄｖａｎｃｅｄ  Ｓｙｓｔｅｍ  Ｒｅｑｕｉｒｅｍｅｎｔｓ」、Ｑｕａｌｃｏｍｍ  Ｅｕｒｏｐｅ（以下、「ＲＥＦ１」と称する）；
Ｒ１−０８２５５６、「Ｎｅｗ  Ｉｎｔｅｒｆｅｒｅｎｃｅ  Ｓｃｅｎａｒｉｏｓ  ｉｎ  ＬＴＥ−Ａｄｖａｎｃｅｄ」、Ｑｕａｌｃｏｍｍ  Ｅｕｒｏｐｅ（以下、「ＲＥＦ２」と称する）；
Ｒ１−１０４１０２、「Ｐｅｒｆｏｒｍａｎｃｅ  Ｅｖａｌｕａｔｉｏｎ  ｆｏｒ  Ｐｏｗｅｒ  Ｃｏｎｔｒｏｌ  ｂａｓｅｄ  ｏｎ  Ｆｅｍｔｏ  Ｄｅｐｌｏｙｍｅｎｔ」、Ａｌｃａｔｅｌ−Ｌｕｃｅｎｔ  Ｓｈａｎｇｈａｉ  Ｂｅｌｌ、Ａｌｃａｔｅｌ−Ｌｕｃｅｎｔ（以下、「ＲＥＦ３」と称する）；
Ｒ１−１０３８２３、「ＨｅＮＢ  ｐｏｗｅｒ  ｓｅｔｔｉｎｇ  ｐｅｒｆｏｒｍａｎｃｅ  ｕｎｄｅｒ  ｄｉｆｆｅｒｅｎｔ  ａｃｃｅｓｓ  ｃｏｎｓｔｒａｉｎｔｓ」、Ｎｏｋｉａ  Ｓｉｅｍｅｎｓ  Ｎｅｔｗｏｒｋｓ（以下、「ＲＥＦ４」と称する）；
Ｒ１−１０３４９５、「ＤＬ  Ｐｏｗｅｒ  Ｓｅｔｔｉｎｇ  Ｍａｃｒｏ−Ｆｅｍｔｏ」、ＣＡＴＴ（以下、「ＲＥＦ５」と称する）；
３ＧＰＰ技術報告書（Ｔｅｃｈｎｉｃａｌ  Ｒｅｐｏｒｔ）Ｎｏ．３６．８１４、ｖｅｒｓｉｏｎ９．０．０、「Ｆｕｔｈｅｒ  ａｄｖａｎｃｅｍｅｎｔｓ  ｆｏｒ  Ｅ−ＵＴＲＡ  ｐｈｙｓｉｃａｌ  ｌａｙｅｒ  ａｓｐｅｃｔｓ」（以下、「ＲＥＦ６」と称する）；
３ＧＰＰ技術報告書（Ｔｅｃｈｎｉｃａｌ  Ｒｅｐｏｒｔ）Ｎｏ．３６．３３１、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｒｅｓｏｕｒｃｅ  Ｃｏｎｔｒｏｌ（ＲＲＣ）；Ｐｒｏｔｏｃｏｌ  Ｓｐｅｃｉｆｉｃａｔｉｏｎ」（以下、「ＲＥＦ７」と称する）。
【００１２】
異種ネットワーク（ｈｅｔｅｒｏｇｅｎｅｏｕｓ  ｎｅｔ，ＨｅｔＮｅｔ）において、異種的な類型のノード（例えば、ピコセル（ｐｉｃｏ  ｃｅｌｌｓ）、家庭用基地局（ｈｏｍｅ  ｅＮＢｓ）、フェムトセル（ｆｅｍｔｏ  ｃｅｌｌｓ）、リレー（ｒｅｌａｙｓ）及びそれと類似したもの）は、前記ノードがＨｅｔＮｅｔ内で同じ無線資源を競争する常習干渉環境（Ｉｎｔｅｒｆｅｒｅｎｃｅ−ｐｒｏｎｅ  ｅｎｖｉｒｏｎｍｅｎｔ）の対象になり得る。このようなネットワークで引き起こされる干渉条件の一部がＲＥＦ２に記述されている。しかし、ＨｅｔＮｅｔは図１に示したように、マクロセルとは対照的に更に深刻な干渉問題を引き起こす。
【００１３】
図１は、本開示の一実施例による異種ネットワーク（Ｈｅｔｅｒｏｇｅｎｅｏｕｓ  Ｎｅｔｗｏｒｋ，ＨｅｔＮｅｔ）の示す図である。異種ネットワーク（ｈｅｔｅｒｏｇｅｎｅｏｕｓ  ｎｅｔ，ＨｅｔＮｅｔ）１００は、マクロネットワークカバレッジ領域１１５内をブロードキャストするマクロ（ｍａｃｒｏ）ｅＮＢ１１０を含む。ＨｅｔＮｅｔ１００はまた、Ｗｉ−Ｆｉネットワーク１２０、Ｗｉ−Ｆｉフェムトネットワーク１３０、リレーノード１４０、ユーザ端末（ｕｓｅｒ  ｅｑｕｉｐｍｅｎｔ，ＵＥ）１５０、家庭用ｅＮＢ（ＨｅＮＢ）フェムトネットワーク１６０、ピコネットワーク１７０及びマイクロｅＮＢネットワーク１８０を含む多数のノード及びネットワークを含む。各ネットワーク１２０，１３０，１６０，１７０．１８０は、一つ以上のノードを含む。各ネットワーク１２０，１３０，１６０，１７０．１８０におけるノードは、それぞれのネットワークにおける少なくとも他の一つのノードと通信するよう、そしておそらく他のネットワークにおけるノードと通信するように構成される。図１に示したように、多重伝送ノードが同じ周波数を使用するインバンド伝送（ｉｎ−ｂａｎｄ  ｔｒａｎｓｍｉｓｓｉｏｎ）である場合、仮想セル分割利得のため伝送のスペクトル効率性は非常に改善される。よって、ＨｅｔＮｅｔ通信を成功させるためには干渉緩和が重要である。
【００１４】
低電力ノードの間における差のため、互いに異なる干渉緩和の方式が低電力ノードの各類型別に適用されてもよい。低電力ノードの一部類型の特質が下記表１に示されている。
【００１５】
【表１】
0005646069.tif 000002
【００１６】
例えば、もし低電力ノードが典型的に全てのＵＥに開かれている（ｏｐｅｎ）ピコセルであれば、空間ドメイン上で干渉調整（例えば、セル間干渉調整（Ｉｎｔｅｒ−Ｃｅｌｌ  Ｉｎｔｅｒｆｅｒｅｎｃｅ  Ｃｏｏｒｄｉｎａｔｉｏｎ）又はＩＣＩＣ）（例えば、空間ドメインＩＣＩＣ）及びバイアスハンドオーバー（ｂｉａｓｅｄ  ｈａｎｄｏｖｅｒ）（例えば、領域拡張（ｒａｎｇｅ  ｅｘｔｅｎｓｉｏｎ））を使用する技法が干渉緩和のために使用されてもよい。他の例として、もし低電力ノードがＨｅＮＢであれば、ノードは典型的に閉鎖型加入者グループ（ｃｌｏｓｅｄ  ｓｕｂｓｃｒｉｂｅｒ  ｇｒｏｕｐ，ＣＳＧ）に対してのみ開かれている。よって、ＣＳＧの構成員ではないＵＥは、ＵＥがＨｅＮＢに近接している際ＨｅＮＢからの干渉を受ける可能性がある。このような特性は、ＨｅＮＢの場合干渉緩和を特に重要にする。ＨｅＮＢ及びＣＳＧに関する干渉シナリオは、図２のように示される。
【００１７】
図２は、本開示の一実施例による互いに異なる加入者グループに対する干渉シナリオを示す図である。図２に示したように、開放型加入者グループ（ｏｐｅｎ  ｓｕｂｓｃｒｉｂｅｒ  ｇｒｏｕｐ、ＯＳＧ）２１５は、構成員（例えば、構成員２１０）と非構成員（例えば、非構成員２２０）を全てサービスする。ＯＳＧの例は、ピコｅＮＢ、ホットゾーンセル（ｈｏｔ  ｚｏｎｅ  ｃｅｌｌ）、リレー及びそれと類似したものを含む。ハイブリッドＣＳＧ２３５は高い優先順位を有する構成員ＵＥ（例えば、構成員２３０）をサービスし、低い優先順位を有する構成員ＵＥ（例えば、構成員２４０）をサービスする。典型的に、ＣＳＧ２５５は単に構成員（例えば、構成員２５０）のみをサービスし、非構成員ＵＥ（例えば、非構成員２６０）はサービスしない。よって、非構成員ＵＥ（例えば、非構成員２６０）は、ＣＳＧ２５５のようなＣＳＧセルから深刻な干渉を受ける可能性もある。これは、フェムトセルにあるマクロＵＥ（即ち、マクロセルで通信するＵＥ）の幾何学的分析（ｇｅｏｍｅｔｒｙ）を調べることでより明確に理解することができる。
【００１８】
図３は、マクロ−フェムトＨｅｔＮｅｔ（即ち、マクとセル及びフェムトセルを含むＨｅｔＮｅｔ）でのフェムトＣＳＧにある典型的なマクロＵＥの幾何学的分析を示す図である。ＲＥＦ３〜ＲＥＦ５において、マクロＵＥの幾何学的分析の性能評価はＲＥＦ６で並べられたシステムの仮定下で行われる。
【００１９】
図３において、ＨＵＥ及びＭＵＥ曲線はフェムトＣＳＧにあるマクロＵＥの停止割合（ｏｕｔａｇｅ  ｒａｔｉｏ）（−６ｄＢより小さい幾何学的分析を有するマクロＵＥの割合で定義される）が高くなることを提示する。例えば、マクロＵＥ（ＭＵＥ）の約１６％は停止線にある一方、ＨｅＮＢ  ＵＥ（ＨＵＥ）の約１％は停止線にある。これは、たとえマクロ−フェムト（ＣＳＧ）システムがシステム処理率の改善を助けることはできても、システムがマクロセルで更に多いセルエッジユーザ（ｃｅｌｌ−ｅｄｇｅ  ｕｓｅｒｓ）を作り出すことを提示する。
【００２０】
３ＧＰＰ  ＲＡＮ１  ＃６２ミーティングで、時間−ドメインソリューション（例えば、ほぼブランクであるサブフレーム（ａｌｍｏｓｔ  ｂｌａｋ  ｓｕｂｆｒａｍｅｓ）又は「ＡＢＳＦ」の使用）及び電力設定ソリューションがマクロ−フェムト干渉シナリオのために適用されてもよく、時間−ドメインソリューションがマクロ−ピコ干渉シナリオのために適用されてもよいことが合意された。必須的に、このような技法はフェムトＣＳＧセルが非構成員マクロＵＥのために資源の一部を犠牲することを要求する。もちろん、フェムトＣＳＧが単に非構成員マクロＵＥが近接している際に資源を犠牲することが好ましい。ＡＢＳＦの特性は該当分野でよく知られているため、より具体的な説明はここでは省略する。
【００２１】
他方、もしｅＩＣＩＣが静的（ｓｔａｔｉｃ）であれば、非構成員マクロＵＥがフェムトＣＳＧに向かって移動する際、非構成員マクロＵＥは制限された資源上で無線リンクモニタリング（radio  ｌｉｎｋ  ｍｏｎｉｔｏｒｉｎｇ，ＲＬＭ）、無線資源管理（ｒａｄｉｏ  ｒｅｓｏｕｒｃｅ  ｍａｎａｇｅｍｅｎｔ，ＲＲＭ）又はチャネル状態情報（Ｃｈａｎｎｅｌ  ｓｔａｔｅ  ｉｎｆｏｒｍａｔｉｏｎ，ＣＳＩ）測定のような測定を行ってもよい。ここで、制限された資源は、例えば非−ＡＢＳＦサブフレームであってもよい。よって、ネットワークは依然として非構成員マクロＵＥがフェムトＣＳＧに近接するのか否かを知る必要がある。
【００２２】
本開示において、ネットワークがマクロＵＥからの報告を基準にして非構成員マクロＵＥがフェムトＣＳＧに接近するのか否かを知らせる多数の方法が記述される。
【００２３】
本開示の一実施例において、近接フェムト指示（Ｐｒｏｘｉｍｉｔｙ  ｆｅｍｔｏ  ｉｎｄｉｃａｔｉｏｎ，ＰＦＩ）プロセスが定義される。前記ＰＦＩプロセスは、ＵＥ（即ち、マクロＵＥ）が自らのホワイトリスト（Ｗｈｉｔｅｌｉｓｔ）上にＣＳＧ  ＩＤがないフェムトＣＳＧセルに接近するのかをネットワークに知らせるように具現される。この情報が受信される場合、ネットワークはネットワークがフェムトセルとマクロセルとの間のｅＩＣＩＣプロセスを設定するのか否かに応じて２つの動作のうち一つ又は２つともを行ってもよい。この２つの動作は、以下で「プリ（ｐｒｅ）−ｅＩＣＩＣ動作」又は「ポスト（ｐｏｓｔ）−ｅＩＣＩＣ動作」として記述される。
【００２４】
プリ−ｅＩＣＩＣ動作において、ネットワークはｅＩＣＩＣトリガーのためにＵＥが相応するＣＳＧセルから具体的な追加の測定結果を報告するように要請する。ここで、ｅＩＣＩＣトリガーはフェムトセルにおける時間−ドメインＡＢＳＦ及び／又は電力設定調節の使用のような一つ以上のｅＩＣＩＣプロセスを行うようにマクロセルがフェムトｅＮＢに要請を送信する動作であってもよい。
【００２５】
ポスト−ｅＩＣＩＣ動作において、ネットワークはＵＥが制限された資源上で無線リンクモニタリング（radio  ｌｉｎｋ  ｍｏｎｉｔｏｒｉｎｇ，ＲＬＭ）、無線資源管理（ｒａｄｉｏ  ｒｅｓｏｕｒｃｅ  ｍａｎａｇｅｍｅｎｔ，ＲＲＭ）及び／又はチャネル品質指示子（ｃｈａｎｎｅｌ  ｑｕａｌｉｔｙ  ｉｎｄｉｃａｔｏｒ，ＣＱＩ）測定のための一つ以上の測定動作を行うように要請する。
【００２６】
一実施例において、ネットワークはフェムトセルとマクロセルとの間でｅＩＣＩＣプロセスが開示されていない際プリ−ｅＩＣＩＣ動作を行う。この実施例は、フェムトセルとマクロセルとの間の準静的（ｓｅｍｉ−ｓｔａｔｉｃ）ｅＩＣＩＣ動作のために使用されてもよい。他の実施例において、ネットワークはフェムトセルとマクロセルとの間で一つ以上のｅＩＣＩＣプロセスを既に設定している際、ネットワークはポスト−ｅＩＣＩＣ動作を行う。
【００２７】
ネットワークがフェムトセルとマクロセルとの間で一つのｅＩＣＩＣプロセスを既に設定した実施例（即ち、フェムトセルが既にＡＢＳＦ構成を使用し、ＡＢＳＦ構成がマクロセルで知られている場合）において、近接フェムト指示（ＰＦＩ）プロセスは２つのステップのプロセスとして示される。
【００２８】
ステップ１において、ネットワークはＰＦＩ制御を有するＵＥを構成する。ステップ２において、ＵＥが自らのＣＳＧホワイトリストにないＣＳＧ  ＩＤを有するＣＳＧセルに近いか又は接近しているとＵＥが決定する際、ＵＥは「進入（ｅｎｔｅｒｉｎｇ）」ＰＦＩを送信する。ポスト−ｅＩＣＩＣ実施例に対するＰＦＩプロセスのステップ１及びステップ２がより具体的に記述される。
【００２９】
ポスト−ｅＩＣＩＣ実施例におけるＰＦＩプロセスのステップ１において、ネットワークはＰＦＩ制御を有するＵＥを構成する。このステップにおいて、ＲＲＣＣｏｎｎｅｃｔｉｏｎＲｅｃｏｎｆｉｇｕｒａｔｉｏｎメッセージの伝送を介して、ネットワークはＵＥのＣＳＧホワイトリストにないＣＳＧ  ＩＤを有する関心を持っている（ｃｏｎｃｅｒｎｅｄ）無線アクセス技術（ｒａｄｉｏ  ａｃｃｅｓｓ  ｔｅｃｈｎｏｌｏｇｙ，ＲＡＴ）（この例において、ＲＡＴはフェムトセル）のセルに対してＰＦＩが可能になったのか否かを決定するようにＵＥを構成してもよい。ネットワークはまた、ＵＥのＰＦＩ報告結果に対するトリガー条件を有するＵＥを構成してもよい。例えば、トリガー条件は下記のうち少なくとも一つを基準にして決められてもよい：
【００３０】
・ＣＳＧフェムトｅＮＢの非−ＡＢＳＦの基準信号受信強度（ｒｅｆｅｒｅｎｃｅ  ｓｉｇｎａｌ  ｒｅｃｅｉｖｅ  ｐｏｗｅｒ，ＲＳＲＰ）及び／又は基準信号受信品質（ｒｅｆｅｒｅｎｃｅ  ｓｉｇｎａｌ  ｒｅｃｅｉｖｅ  ｑｕａｌｉｔｙ，ＲＳＲＱ）
・ＣＳＧフェムトｅＮＢのＡＢＳＦのＲＳＲＰ及び／又はＲＳＲＱ
・サービングマクロｅＮＢの非−ＡＢＳＦのＲＳＲＰ及び／又はＲＳＲＱ
・サービングマクロのＡＢＳＦのＲＳＲＰ及び／又はＲＳＲＱ
【００３１】
ＲＳＦＭ（ｒｅｓｔｒｉｃｔｅｄ  ｓｕｂｆｒａｍｅ  ｆｏｒ  ｍｅａｓｕｒｅｍｅｎｔ）（測定のために制限されたサブフレーム）がｅＩＣＩＣのために定義される際、トリガー条件は下記のうち少なくとも一つを基準にして異なるように決められるか、追加に決められてもよい：
【００３２】
・ＵＥのＲＳＦＭのＲＳＲＰ及び／又はＲＳＲＱ
・ＵＥの非−ＲＳＦＭのＲＳＲＰ及び／又はＲＳＲＱ
【００３３】
他の例として、ＵＥのＰＦＩ報告に対するトリガー条件は、例えば、ＬＴＥ測定イベントＡ３，Ａ４及びＡ５のように以前定義されたイベント又は以前定義されたイベントに対する変更のうち一つ以上であってもよい。Ａ３，Ａ４及びＡ５イベントはＲＥＦ７に記述されており、該当分野に熟練された者によく知られている。よって、Ａ３，Ａ４及びＡ５イベントに対する具体的な説明はここでは省略する。Ａ３，Ａ４及びＡ５イベントは以下で記述される多数の代替的な例に応じて変更されてもよい。
【００３４】
Ａ３及びＡ５イベントに関する代替的な第１例において、ＵＥはサービングセルの測定結果としてサービングセルの非−ＲＳＦＭで測定することができる。代替的に又は追加的に、ＵＥは隣の非構成員ＣＳＧセルの測定結果としてサービングセルのＲＳＦＭで測定を行ってもよい。
【００３５】
Ａ４イベントに関する代替的な第２例において、ＵＥは隣の非構成員ＣＳＧセルの測定結果としてサービングセルのＲＳＦＭで測定することができる。
【００３６】
Ａ４及びＡ５イベントに関する代替的な第３例において、Ａ４及びＡ５イベントの互いに異なるオフセットがＰＦＩトリガーのために定義される。例えば、Ａ４イベント及びＡ５イベントに対するオフセットの定義は以下のようである：
【００３７】
・ＲＳＲＰの場合、イベント性能評価のためのＲＳＲＰ基盤の臨界値（実質的な値は−１４０ｄＢＭ）
・ＲＳＲＱの場合、イベント性能評価のためのＲＳＲＱ基盤の臨界値（実質的な値は（−４０）／２ｄＢＭ）
【００３８】
ｅＩＣＩＣに対するＰＦＩトリガーのために、Ａ４イベントのＲＳＲＰ及びＲＳＲＱ臨界値は減少されてもよい。代替的に又は追加的に、Ａ５イベント「ｔｈｒｅｓｈｏｌｄ２」に対するＲＳＲＰ及びＲＳＲＱ臨界値は減少されてもよい。
【００３９】
代替的な第４例においては、代替的な第１及び第３例の特徴が結合される。即ち、代替的な第４例において、Ａ４及びＡ５イベントに対する互いに異なるオフセットが定義され、サービングセルのＲＳＦＭが構成されてＵＥに信号伝送される際、ＵＥはサービングセルのＲＳＦＭ及び非−ＲＳＦＭを測定するように構成される。
【００４０】
ＰＦＩプロセルのステップ２において、ＵＥがＵＥのＣＳＧホワイトリストにないＣＳＧ  ＩＤを有するＣＳＧセルに近いか接近していくとＵＥが決定する際、ＵＥはマクロネットワークに「進入（ｅｎｔｅｒｉｎｇ）」ＰＦＩを送信する。このような決定は上記で定義されたトリガー条件の発生を基準にする。ＰＦＩはセルのＲＡＴ及び周波数を含む。ネットワークが「進入」ＰＦＩを受信する際、ネットワークはＵＥがＲＳＦＭで無線リンクモニタリング（radio  ｌｉｎｋ  ｍｏｎｉｔｏｒｉｎｇ，ＲＬＭ）、無線資源管理（ｒａｄｉｏ  ｒｅｓｏｕｒｃｅ  ｍａｎａｇｅｍｅｎｔ，ＲＲＭ）及び／又はチャネル状態情報（ｃｈａｎｎｅｌ  ｓｔａｔｅ  ｉｎｆｏｒｍａｔｉｏｎ，ＣＳＩ）に対する測定を行うように構成する。
【００４１】
ＵＥがＵＥのＣＳＧホワイトリストにないＣＳＧ  ＩＤを有するＣＳＧセルから逸脱するとＵＥが決定する際、ＵＥはマクロネットワークに「離脱（ｌｅａｖｉｎｇ）」ＰＦＩを送信する。ネットワークが「離脱（ｌｅａｖｉｎｇ）」ＰＦＩを受信する際、ネットワークはＵＥが３ＧＰＰ  Ｒｅｌｅａｓｅ８原則（ｐｒｉｎｃｉｐｌｅｓ）に従って測定を行うように構成する（例えば、ＵＥは全ての使用可能なサブフレームでＲＬＭ／ＲＲＭ／ＣＳＩの測定を行う）。
【００４２】
ネットワークがフェムトセルとマクロセルとの間で一つのｅＩＣＩＣプロセスを開示しない実施例（例えば、フェムトセルがＡＢＳＦ構成及び／又は電力設定を適用しない場合）（以下、「プリ−ｅＩＣＩＣ実施例」と称する）において、ＰＦＩプロセスは２つのステップのプロセスとして示される。
【００４３】
ステップ１において、ネットワークはＰＦＩ制御を有するＵＥを構成する。ステップ２において、ＵＥがＣＳＧホワイトリストにないＣＳＧ  ＩＤを有するＣＳＧセルに近いか又は接近していると決定する際、ＵＥは「進入（ｅｎｔｅｒｉｎｇ）」ＰＦＩを送信する。プリ−ｅＩＣＩＣ実施例に対するＰＦＩプロセスのステップ１及び２はポスト−ｅＩＣＩＣ実施例に対するＰＦＩプロセスのステップ１及び２と類似しているが、以下でより具体的に記述される差異がある。
【００４４】
プリ−ｅＩＣＩＣ実施例におけるＰＦＩプロセスのステップ１において、ネットワークはＰＦＩ制御を有するＵＥを構成する。このステップにおいて、ＲＲＣＣｏｎｎｅｃｔｉｏｎＲｅｃｏｎｆｉｇｕｒａｔｉｏｎメッセージの伝送を介して、ネットワークはＵＥのＣＳＧホワイトリストにないＣＳＧ  ＩＤを有する関心を持っている（ｃｏｎｃｅｒｎｅｄ）ＲＡＴ（即ち、フェムトセル）のセルに対してＰＦＩが可能になったのか否かを決定するようにＵＥを構成してもよい。ネットワークはまた、ＵＥのＰＦＩ報告結果に対するトリガー条件を有するＵＥを構成してもよい。例えば、トリガー条件はＣＳＧフェムトセルのＲＳＲＰ及び／又はＲＳＲＱであってもよい。
【００４５】
他の例として、ＵＥのＰＦＩ報告に対するトリガー条件は、例えば、ＬＴＥ測定イベントＡ３，Ａ４及びＡ５のように以前定義されたイベント又は以前定義されたイベントに対する変更のうち一つ以上であってもよい。Ａ３，Ａ４及びＡ５イベントは以下で記述される多数の代替的な例に応じて変更されてもよい。
【００４６】
Ａ３，Ａ４及びＡ５イベントに関する代替的な第１例において、ＵＥはサービングセルのＡＢＳＦが校正されてＵＥに信号が伝送される際、サービングセルの非−ＡＢＳＦを測定する。そうではない場合、ＵＥは任意のサブフレームで測定を行う。
【００４７】
Ａ４及びＡ５イベントに関する代替的な第２例において、Ａ４及びＡ５イベントの互いに異なるオフセットがＰＦＩトリガーのために定義される。例えば、Ａ４イベント及びＡ５イベントに対するオフセットの定義は以下のようである。
【００４８】
・ＲＳＲＰの場合、イベント性能評価のためのＲＳＲＰ基盤の臨界値（実質的な値はＩＥ値−１４０ｄＢＭ）
・ＲＳＲＱの場合、イベント性能評価のためのＲＳＲＱ基盤の臨界値（実質的な値は（ＩＥ値−４０）／２ｄＢＭ）
【００４９】
ｅＩＣＩＣに対するＰＦＩトリガーのために、Ａ４イベントのＲＳＲＰ及びＲＳＲＱ臨界値は減少されてもよい。代替的に又は追加的に、Ａ５イベント「ｔｈｒｅｓｈｏｌｄ２」に対するＲＳＲＰ及びＲＳＲＱ臨界値は減少されてもよい。
【００５０】
代替的な第３例のおいては、代替的な第１及び第２例の特徴が結合される。即ち、代替的な第３例において、Ａ４及びＡ５イベントに対する互いに異なるオフセットが定義され、サービングセルのＡＢＳＦが構成されてＵＥに信号伝送される際、ＵＥはサービングセルの非−ＡＢＳＦで測定される。
【００５１】
ＰＦＩプロセルのステップ２において、ＵＥがＵＥのＣＳＧホワイトリストにないＣＳＧ  ＩＤを有するＣＳＧセルに近いか接近していくとＵＥが決定する際、ＵＥはマクロネットワークに「進入（ｅｎｔｅｒｉｎｇ）」ＰＦＩを送信する。このような決定は上記で定義されたトリガー条件の発生を基準にする。ＰＦＩはセルのＲＡＴ及び周波数を含む。ＵＥがＵＥのＣＳＧホワイトリストにないＣＳＧ  ＩＤを有するＣＳＧセルから逸脱するとＵＥが決定する際、ＵＥは「離脱（ｌｅａｖｉｎｇ）」ＰＦＩを送信する。
【００５２】
ネットワークが「進入」ＰＦＩを受信する際、測定構成が提示されていない場合、ＵＥが報告されたＲＡＴ及び周波数で測定を行うことができるよう、ネットワークはＲＲＭに対して適切な測定構成を有するＵＥを構成する。ＡＢＳＦ構成がサービングセルで提示されていると、このように構成された測定方式はサービングセルの非−ＡＢＳＦに制限されてもよい。
【００５３】
ネットワークが適切な測定構成を有するＵＥを構成する際、ネットワークはターゲットＵＥに対するサービングセルと隣のＣＳＧフェムトセルとの間のｅＩＣＩＣ調整を行う。基本的なｅＩＣＩＣ方式が電力設定構成に関している実施例に対するｅＩＣＩＣ調整手順が図４に示される。
【００５４】
図４は、本開示の一実施例によるｅＩＣＩＣの構成手順に対するメッセージフローダイアグラムを示す図である。図４において、ｅＩＣＩＣは電力設定調整に関している。説明の例のために、図４は上述したようなフェムトセル／マクロセルＨｅｔＮｅｔ干渉実施例に関して記述する。しかし、図４に記述した手順が他のネットワークにも使用され得るということを理解しなければならない。
【００５５】
動作４０１において、ソースｅＮＢ（即ち、マクロｅＮＢ）は、ｅＩＣＩＣ再構成メッセージをＵＥ（マクロＵＥ）に送信する。動作４０３において、ＵＥはＩＣＩＣ報告をソースｅＮＢに送信することで応答する。動作４０５〜４１３はＲＲＦ１乃至ＲＥＦ７に少なくとも一つに記述されており、これは当業者によく知られている。よって、動作４０５〜４１３の具体的な説明はここでは省略する。
【００５６】
動作４１５において、ソースｅＮＢは、ｅＩＣＩＣを要求するメッセージを移動管理エンティティ（Ｍｏｂｉｌｉｔｙ  Ｍａｎａｇｅｍｅｎｔ  Ｅｎｔｉｔｙ，ＭＭＥ）に送信する。動作４１７において、ＭＭＥは図４における電力設定調節に関するｅＩＣＩＣ制御を調整する。ＭＭＥは、動作４１９でｅＩＣＩＣ要請メッセージをＨｅＮＢゲートウェイ（即ち、フェムトセルに対するゲートウェイ）に送信する。動作４２１において、ＨｅＮＢゲートウェイはｅＩＣＩＣ要請メッセージをＨｅＮＢゲートウェイ（即ち、フェムトセルに対するｅＮＢ）に送信する。ＨｅＮＢは動作４２３でフェムトセルのＣＳＧ  ＩＤを認証する（ｖａｌｉｄａｔｅ）。動作４２５において、ＨｅＮＢはｅＩＣＩＣ要請肯定応答（Ａｃｋｎｏｗｌｅｄｇｅｍｅｎｔ，ＡＣＫ）又は否定応答（Ｎｅｇａｔｉｖｅ  ＡＣＫ，ＮＡＣＫ）をＨｅＮＢゲートウェイに送信する。ＨｅＮＢゲートウェイは動作４２７でＡＣＫをＭＭＥに送信し、ＭＭＥは動作４２９でＡＣＫをソースｅＮＢに送信する。動作４３１において、ＨｅＮＢの互いに異なる電力設定を行う。
【００５７】
図４に示したように、動作４１５乃至４２９はｅＩＣＩＣ調整動作のためにソースｅＮＢとＨｅＮＢとの間及びＭＭＥとＨｅＮＢゲートウェイとの間の信号伝送の新たな動作を反映する。動作４１５乃至４２９を利用することで、ＣＳＧフェムトセルがマクロセルから電力設定要請を受信する際、フェムトセルはマクロセルにＡＣＫ又はＮＡＣＫを更に送信する。
【００５８】
図５は、本開示の一実施例による相応する他のｅＩＣＩＣの構成手順に対するメッセージフローダイアグラムを示す図である。図５において、基本的なｅＩＣＩＣ方式は図４に示した電力設定方式というより、時間ドメインソリューションである。説明の例のために、図５は上述したようなフェムトセル／マクロセルＨｅｔＮｅｔ干渉実施例に関して記述する。しかし、図５に記述した手順が他のネットワークにも使用され得るということを理解しなければならない。
【００５９】
図５に示したように、動作５０１乃至５３１は以下のような差異を除くと、図４での相応する動作４０１〜４３１と同じであるか実質的に類似している。動作５１７でＭＭＥは時間ドメインＩＣＩＣ制御を調整するが、これはＡＢＳＦパターンを構成する動作を含んでもよい。他の代替的な例において、時間ドメインＩＣＩＣ制御はＭＭＥの代わりにＨｅＮＢゲートウェイで調整される。動作５３１において、ＨｅＮＢはＡＢＳＦパターンに応じてＵＥに対する特定サブフレームをスケジュールする。
【００６０】
時間−ドメインソリューションを基準にするｅＩＣＩＣトリガリングの場合、図５に示したように、隣のＣＳＧフェムトセルで使用されるＡＢＳＦパターンはｅＩＣＩＣ要請及びフェムトセル自らのトラフィック条件に応じて決定されてもよい。即ち、ＣＳＧフェムトセルで使用されるＡＢＳＦパターンを調整するネットワークエンティティ（例えば、ＭＭＥ又はＨｅＮＢゲートウェイ）は、決定をするためにマクロセル及びフレムとセルからのメッセージ又は報告を使用してもよい。
【００６１】
一部の実施例において、「離脱」ＰＦＩが受信される場合、ネットワーク（即ち、マクロセル）はｅＩＣＩＣ資源を解除するために「ｅＩＣＩＣ解除（ｒｅｌｅａｓｅ）」メッセージをフェムトＣＳＧセルに送信する。
【００６２】
本開示の他の実施例において、新たな強いマクロ干渉指示（ｓｔｒｏｎｇ  ｍａｃｒｏ  ｉｎｔｅｒｆｅｒｅｎｃｅ  ｉｎｄｉｃａｔｉｏｎ，ＳＭＩ）プロセスが定義される。前記ＳＭＩプロセスは、ピコＵＥがマクロセルに接近することをネットワークに知らせるために具現される。マクロＵＥがフェムトＣＳＧセルから干渉を受信する際具現されるＰＦＩプロセスとは対比的に、ＳＭＩプロセスはＵＥがピコネットワークで通信し、干渉がマクロセルによって引き起こされる実施例で具現される。このような情報が受信される場合、ネットワークはピコＵＥにより良い性能のために制限された資源上で無線リンクモニタリング（radio  ｌｉｎｋ  ｍｏｎｉｔｏｒｉｎｇ，ＲＬＭ）、無線資源管理（ｒａｄｉｏ  ｒｅｓｏｕｒｃｅ  ｍａｎａｇｅｍｅｎｔ，ＲＲＭ）及び／又はチャネル品質指示子（ｃｈａｎｎｅｌ  ｑｕａｌｉｔｙ  ｉｎｄｉｃａｔｏｒ，ＣＱＩ）測定のための一つ以上の測定動作を行うように要請してもよい。
【００６３】
前記ＳＭＩプロセスは、ピコセルとマクロセルとの間で一つのｅＩＣＩＣプロセスが既に設定された際に行われる。即ち、マクロセルはピコセルのためにＡＢＳＦパターンを適用するように構成される。
【００６４】
ネットワークがピコセルとマクロセルとの間で静的なｅＩＣＩＣプロセスを既に設定した実施例（例えば、マクロセルが既にＡＢＳＦ構成を使用し、ＡＢＳＦ構成がピコセルで知られている場合）において、強いマクロ干渉指示（ｓｔｒｏｎｇ  ｍａｃｒｏ  ｉｎｔｅｒｆｅｒｅｎｃｅ  ｉｎｄｉｃａｔｉｏｎ，ＳＭＩ）プロセスは２つのステップのプロセスとして示される。
【００６５】
ステップ１において、ネットワークはＳＭＩ制御を有するＵＥを構成する。ステップ２において、ＵＥがマクロセルに近いか又は接近しているとＵＥが決定する際、ＵＥは「進入（ｅｎｔｅｒｉｎｇ）」ＳＭＩを送信する。ＳＭＩプロセスのステップ１及びステップ２がより具体的に記述される。
【００６６】
ステップ１において、ネットワークはＳＭＩ制御を有するＵＥを構成する。このステップにおいて、ＲＲＣＣｏｎｎｅｃｔｉｏｎＲｅｃｏｎｆｉｇｕｒａｔｉｏｎメッセージの伝送を介して、ネットワークは関心を持っている（ｃｏｎｃｅｒｎｅｄ）ＲＡＴ（この例において、ＲＡＴはマクロセル）のセルに対してＳＭＩが可能になったのか否かを決定するようにＵＥを構成してもよい。ネットワークはまた、ＵＥのＳＭＩ報告結果に対するトリガー条件を有するＵＥを構成してもよい。例えば、トリガー条件は下記のうち少なくとも一つを基準にして決められてもよい：
・マクロセルの非−ＡＢＳＦのＲＳＲＰ及び／又はＲＳＲＱ
・マクロセルのＡＢＳＦのＲＳＲＰ及び／又はＲＳＲＱ
【００６７】
ＲＳＦＭ（ｒｅｓｔｒｉｃｔｅｄ  ｓｕｂｆｒａｍｅ  ｆｏｒ  ｍｅａｓｕｒｅｍｅｎｔ）（測定のために制限されたサブフレーム）がｅＩＣＩＣのために定義される際、トリガー条件は下記のうち少なくとも一つを基準にして異なるように決められるか、追加に決められてもよい：
【００６８】
・ＵＥのＲＳＦＭのＲＳＲＰ及び／又はＲＳＲＱ
・ＵＥの非−ＲＳＦＭのＲＳＲＰ及び／又はＲＳＲＱ
【００６９】
他の例として、ＵＥのＳＭＩ報告に対するトリガー条件は、例えば、ＬＴＥ測定イベントＡ３，Ａ４及びＡ５のように以前定義されたイベント又は以前定義されたイベントに対する変更のうち一つ以上であってもよい。
【００７０】
Ａ３及びＡ５イベントに関する代替的な第１例において、ＵＥはサービングセルの測定結果としてサービングセルの非−ＲＳＦＭで測定することができる。代替的に又は追加的に、ＵＥは隣のセルの測定結果としてサービングセルのＲＳＦＭで測定を行ってもよい。
【００７１】
Ａ４イベントに関する代替的な第２例において、ＵＥは隣のセルの測定結果としてサービングセルのＲＳＦＭで測定することができる。
【００７２】
Ａ４及びＡ５イベントに関する代替的な第３例において、Ａ４及びＡ５イベントの互いに異なるオフセットがＳＭＩトリガーのために定義される。例えば、Ａ４イベント及びＡ５イベントに対するオフセットの定義は以下のようである：
【００７３】
・ＲＳＲＰの場合、イベント性能評価のためのＲＳＲＰ基盤の臨界値（実質的な値は−１４０ｄＢＭ）
・ＲＳＲＱの場合、イベント性能評価のためのＲＳＲＱ基盤の臨界値（実質的な値は（−４０）／２ｄＢＭ）
【００７４】
ｅＩＣＩＣに対するＰＦＩトリガーのために、Ａ４イベントのＲＳＲＰ及びＲＳＲＱ臨界値は減少されてもよい。代替的に又は追加的に、Ａ５イベント「ｔｈｒｅｓｈｏｌｄ２」に対するＲＳＲＰ及びＲＳＲＱ臨界値は減少されてもよい。
【００７５】
代替的な第４例のおいては、代替的な第１及び第３例の特徴が結合される。即ち、代替的な第４例において、Ａ４及びＡ５イベントに対する互いに異なるオフセットが定義され、サービングセルのＲＳＦＭが構成されてＵＥに信号伝送される際、ＵＥはサービングセルのＲＳＦＭ及び非−ＲＳＦＭを測定するように構成される。
【００７６】
ＳＭＩプロセスのステップ２において、ＵＥがマクロセルに近いか又は接近していくとＵＥが決定する際、ＵＥは「進入（ｅｎｔｅｒｉｎｇ）」強いマクロ干渉指示メッセージを送信する。強いマクロ干渉指示メッセージはセルのＲＡＴ及び周波数を含む。ネットワークが「進入」強いマクロ干渉指示メッセージを受信する際、ネットワークはＵＥがＲＳＦＭで無線リンクモニタリング（radio  ｌｉｎｋ  ｍｏｎｉｔｏｒｉｎｇ，ＲＬＭ）、無線資源管理（ｒａｄｉｏ  ｒｅｓｏｕｒｃｅ  ｍａｎａｇｅｍｅｎｔ，ＲＲＭ）及び／又はチャネル状態情報（ｃｈａｎｎｅｌ  ｓｔａｔｅ  ｉｎｆｏｒｍａｔｉｏｎ，ＣＳＩ）に対する測定を行うように構成する。
【００７７】
ＵＥがマクロセルから逸脱するとＵＥが決定する際、ＵＥはネットワークに「離脱（ｌｅａｖｉｎｇ）」強いマクロ干渉指示メッセージを送信する。ネットワークが「離脱（ｌｅａｖｉｎｇ）」強いマクロ干渉指示メッセージを受信する際、ネットワークはＵＥが３ＧＰＰ  Ｒｅｌｅａｓｅ８原則（ｐｒｉｎｃｉｐｌｅｓ）に従って測定を行うように構成する（例えば、ＵＥは全ての使用可能なサブフレームでＲＬＭ／ＲＲＭ／ＣＳＩの測定を行う）。
【００７８】
本開示の他の実施例において、ジョイント（ｊｏｉｎｔ）ｅＩＣＩＣ／ハンドオーバー（ｈａｎｄｏｖｅｒ，ＨＯ）の構成及び報告手順が定義される。この例において、ＵＥはＵＥがＣＳＧセルに「進入（ｅｎｔｅｒｉｎｇ）」すべきであるのか又はＣＳＧセルから「離脱（ｌｅａｖｉｎｇ）」すべきであるのかと、相応するＣＳＧフェムトセルがＵＥのホワイトリスト上にあるのか又はトリガー条件を基準にするのかをネットワークに報告する。報告結果を受信する場合、ネットワークはｅＩＣＩＣトリガーに対するＣＳＧからのより具体的なシステム情報を報告するようにＵＥに要請してもよい。追加的に又は代替的に、ネットワークはＵＥが制限された資源で無線リンクモニタリング（radio  ｌｉｎｋ  ｍｏｎｉｔｏｒｉｎｇ，ＲＬＭ）、無線資源管理（ｒａｄｉｏ  ｒｅｓｏｕｒｃｅ  ｍａｎａｇｅｍｅｎｔ，ＲＲＭ）及び／又はチャネル品質指示子（ｃｈａｎｎｅｌ  ｑｕａｌｉｔｙ  ｉｎｄｉｃａｔｏｒ，ＣＱＩ）測定のための一つ以上の測定動作を行うように要請してもよい。
【００７９】
一実施例において、ネットワークは相応するＣＳＧフェムトセルにｅＩＣＩＣトリガーを送信する。もしＵＥが相応するＵＥのホワイトリストにあるＣＳＧに「進入（ｅｎｔｅｒｉｎｇ）」すると、ネットワークは測定構成が提示されていない際に報告された隣のＣＳＧセルでの適切な測定構成を有するＵＥを構成してもよい。このような状態において、マクロセルでＣＳＧフェムトセルへの相応するハンドオーバーの要請が行われる。
【００８０】
もしＵＥが相応するＵＥのホワイトリストにあるＣＳＧに「離脱（ｌｅａｖｉｎｇ）」すると、ネットワークは報告されたＲＡＴ及び周波数での測定を停止するようにＵＥを構成してもよい。
【００８１】
もしＵＥが相応するＵＥのホワイトリストにないＣＳＧに「進入（ｅｎｔｅｒｉｎｇ）」すると、ネットワークは測定構成が提示されていない際に報告された隣のＣＳＧセルでの適切な測定構成を有するＵＥを構成してもよい。ＵＥから測定報告を受信する場合、ｅＩＣＩＣトリガーメッセージは隣のＣＳＧセルでのｅＩＣＩＣ要請のためにサービングセルから隣のＣＳＧフェムトセルに送信されてもよい。基本的なｅＩＣＩＣ方式が電力設定構成に関している実施例に対するｅＩＣＩＣ／ＨＯ構成手順が図６に示される。
【００８２】
図６は、本開示の一実施例によるｅＩＣＩＣ／ＨＯ構成手順に対するメッセージフローダイアグラムを示す図である。図６において、ｅＩＣＩＣは電力設定構成に関している。説明の例のために、図６は上述したようなフェムトセル／マクロセルＨｅｔＮｅｔ干渉実施例に関して更に記述する。しかし、図６に記述した手順が他のネットワークにも使用され得るということを理解しなければならない。
【００８３】
図６に示したように、動作６０１乃至６３１は以下のような差異を除くと、図４での相応する動作４０１〜４３１と同じであるか実質的に類似している。動作６１５において、ソースｅＮＢはｅＩＣＩＣ又はハンドオーバー又は２つともを要求するメッセージをＭＭＥに送信する。動作５１７において、もしｅＩＣＩＣが要求されるとＭＭＥはＩＣＩＣ制御を調整するが、これは図６における電力設定調節に関している。ハンドオーバーが要求されると、ＭＭＥは報告されたＣＳＧ  ＩＤを基準にアクセス制御を調整する。
【００８４】
図７は、本開示の一実施例による相応する他のｅＩＣＩＣ／ＨＯの構成手順に対するメッセージフローダイアグラムを示す図である。図７において、基本的なｅＩＣＩＣ方式は図６に示した電力設定方式というより、時間ドメインソリューションである。説明の例のために、図７は上述したようなフェムトセル／マクロセルＨｅｔＮｅｔ干渉実施例に関して更に記述する。しかし、図７に記述した手順が他のネットワークにも使用され得るということを理解しなければならない。
【００８５】
図７に示したように、動作７０１乃至７３１は以下のような差異を除くと、図６での相応する動作６０１〜６３１と同じであるか実質的に類似している。動作７１７でＭＭＥは時間ドメインＩＣＩＣ制御を調整するが、これはＡＢＳＦパターンを構成する動作を含んでもよい。他の代替的な例において、時間ドメインＩＣＩＣ制御はＭＭＥの代わりにＨｅＮＢゲートウェイで調整される。動作７３１において、ＨｅＮＢはＡＢＳＦパターンに応じてＵＥに対する特定サブフレームをスケジュールする。
【００８６】
時間−ドメインソリューションを基準にするｅＩＣＩＣトリガリングの場合、図７に示したように、隣のＣＳＧフェムトセルで使用されるＡＢＳＦパターンはｅＩＣＩＣ要請及びフェムトセル自らのトラフィック条件に応じて決定されてもよい。
【００８７】
図８は、本開示の一実施例によるＲＲＣＣｏｎｎｅｃｔｉｏｎＲｅｃｏｆｉｇｕｒａｔｉｏｎメッセージの「ＯｔｈｅｒＣｏｎｆｉｇ」情報要素を示す図である。図８に示したように、ＯｔｈｅｒＣｏｎｆｉｇ情報要素は「ｒｅｐｏｒｔＰｒｏｘｉｍｉｔｙＣｏｎｆｉｇ」フィールドを含む。「ｒｅｐｏｒｔＰｒｏｘｉｍｉｔｙＣｏｎｆｉｇ」フィールドは、使用可能なＲＡＴ（ＥＵＴＲＡ，ＵＴＲＡ）それぞれに対して近接フェムト指示子が関心を持っているＲＡＴのＣＳＧセルのために可能になるのか否かを指示する。ここで、近接フェムト指示子の可能又は不可能は、関連する技能（例えば、連結モードでの自律的な探索）の可能又は不可能を含む。
【００８８】
一実施例において、トリガー条件がＵＥの近接フェムト指示報告に追加される。例えば、トリガー条件はＬＴＥ測定イベントＡ３，Ａ４及びＡ５のような一つ以上の既に定義されたイベントであってもよい。
【００８９】
図９は、本発明の一実施例によるＵＥのＰｒｏｘｉｍｉｔｙＦｅｍｔｏＩｎｄｉｃａｔｉｏｎメッセージの「ＰｒｏｘｉｍｉｔｙＦｅｍｔｏＩｎｄｉｃａｔｉｏｎ」情報要素を示す図である。図９に示したように、「ＰｒｏｘｉｍｉｔｙＦｅｍｔｏＩｎｄｉｃａｔｉｏｎ」情報要素は「ｔｙｐｅ」フィールド及び「ｃａｒｒｉｅｒＦｒｅｑ」フィールドを含む。
【００９０】
「ｔｙｐｅ」フィールドは、ＵＥがセルの近接付近に進入するのか又は近接付近から離脱するのかと、セルのＣＳＧ  ＩＤがＵＥのＣＳＧホワイトリストにあるのか否かを指示する。「ｃａｒｒｉｅｒＦｒｅｑ」フィールドは、近接フェムト指示子が送信されるセルのＲＡＴ及び周波数を指示する。
【００９１】
一実施例において、ステップ１の近接フェムト指示子は多様な代替的な構成で構成されてもよい。
【００９２】
代替的な第１例において、一つのビットがＰＦＩに追加される。よって、「Ｓ０」はＩＣ報告を示すことができ、「Ｓ１」はＨＯ報告を示すことができる。また、「Ｓ０」はＩＣ及びＨＯ報告を示すことができ、「Ｓ１」はＨＯ報告を示すことができる。 
【００９３】
代替的な第２例において、ＩＣ及びＨＯのための２ビットのビットマップがＰＦＩに追加される。よって、「Ｓ１１」はＩＣ及びＨＯのための報告を示すことができ、「Ｓ１０」は単にＩＣの報告を示すことができ、「Ｓ０１」は単にＨＯ報告を示すことができる。
【００９４】
代替的な第３例において、一つのビットがＩＣに対してトリガーイベントを有するＰＦＩに追加される。ＩＣに対するトリガーは、例えば、予め定義されたイベントを基準にしてもよい。
【００９５】
本開示の実施例において、ネットワークはＲＲＣ−ＩＤＬＥモードでフェムトＣＳＧセルのＡＢＳＦ構成についてマクロＵＥに知らせてもよい。特定実施例において、フェムトＣＳＧセルのＡＢＳＦ構成情報は以下のようなフェムトセルのメッセージのうち少なくとも一つに含まれる：
【００９６】
・物理ブロードキャストチャネル（Ｐｈｙｓｉｃａｌ  Ｂｒｏａｄｃａｓｔ  Ｃｈａｎｎｅｌ，ＰＢＣＨ）を介したマスター情報ブロック（Ｍａｓｔｅｒ  Ｉｎｆｏｒｍａｔｉｏｎ  Ｂｌｏｃｋ，ＭＩＢ）
・物理ダウンリンク共有チャネル（Ｐｈｙｓｉｃａｌ  Ｄｏｗｎｌｉｎｋ  Ｓｈａｒｅｄ  Ｃｈａｎｎｅｌ，ＰＤＳＣＨ）を介したシステム情報ブロック（Ｓｙｓｔｅｍ  Ｉｎｆｏｒｍａｔｉｏｎ  Ｂｌｏｃｋ，ＳＩＢｓ）
【００９７】
マクロセルの場合、ＡＢＳＦ構成情報は以下のようなマクロセルのメッセージのうち少なくとも一つに含まれる：
・ＰＢＣＨを介したＭＩＢ
・ＰＤＳＣＨを介したＳＩＢ
【００９８】
フェムトセルに対する固定されたＡＢＳＦパターン（ＡＢＳＦ１）と、マクロセルに対する一つの固定されたＡＢＳＦパターン（ピコセルのセル領域拡張の場合、ＡＢＳＦ２）がある実施例において、２つのビットは上述した情報ブロック（ＭＩＢ又はＳＩＢｓ）でＡＢＳＦパターンをマクロＵＥに伝達するために使用されてもよい。２ビットのマッピングは下記表２に示したようであってもよい。
【００９９】
【表２】
0005646069.tif 000003
【０１００】
情報を受信した後、ＵＥはマクロセルの非−ＡＢＳＦ及びフェムトＣＳＧのＡＢＳＦと交差するサブフレームを基準にしてセル探索測定を行う。
【０１０１】
ＬＴＥシステムにおけるＰＵＳＣＨ  ＣＱＩ／ＰＭＩフィードバックを改善するための方法に更に転換する際、チャネル推定及び復調動作はプリコード化されていない共通の基準信号（ｃｏｍｍｏｎ  ｒｅｆｅｒｅｎｃｅ  ｓｉｇｎａｌｓ，ＣＲＳ）を基準にする。よって、ＵＥはプリコード化されていない基準信号を利用してチャネルを推定し、提示されたプリコーディングベクトル及び相応する提示された変調符号化方式（ｍｏｄｕｌａｔｉｏｎ  ｃｏｄｉｎｇ  ｓｃｈｅｍｅ，ＭＣＳ）をネットワークにフィードバックする。ＵＥはプリコーディングベクトルの予め決定された集合から、もしネットワークで適用されるとするとＵＥでの信号対干渉雑音比（ｓｉｇｎａｌ−ｔｏ−ｉｎｔｅｒｆｅｒｅｎｃｅ  ｐｌｕｓ  ｎｏｉｓｅ  ｒａｔｉｏ，ＳＩＮＲ）を最大化する提示されたプリコーディングベクトルを決定する。よって、提示されたプリコーディングベクトルは「プリコーディングマトリックスインデックス（ｐｒｅｃｏｄｉｎｇ  ｍａｔｒｉｘ  ｉｎｄｅｘ，ＰＭＩ）」と呼ばれる一方、相応する量子化されたＳＩＮＲ値は「チャネル品質インデックス（ｃｈａｎｎｅｌ  ｑｕａｌｉｔｙ  ｉｎｄｅｘ，ＣＱＩ）」と呼ばれる。
【０１０２】
本開示の一実施例において、ＵＥのフィードバックチャネル状態情報は単一ユーザ（ｓｉｇｎａｌ−ｕｓｅｒ，ＳＵ）−多重入力多重出力（Ｍｕｌｔｉｐｌｅ−ｉｎｐｕｔ−ｍｕｌｔｉｐｅ−ｏｕｔｐｕｔ，ＭＩＭＯ）ＲＩ報告値に条件的である。即ち、ＰＭＩ／ＣＱＩのフィードバック内容はＲＩ報告値によって異なる。３ＧＰＰ  Ｒｅｌｅａｓｅ８において、ＵＥは互いに異なるＲＩ報告に対するＳＵ−ＭＩＭＯ  ＰＭＩ／ＣＱＩを報告する。
【０１０３】
３ＧＰＰ  Ｒｅｌｅａｓｅ１０及びそれ以上において、例えば、ＰＵＳＣＨフィードバックモードの少なくとも一つに対して以下のようなフィードバック内容が提案された：
【０１０４】
ＳＵ−ＭＩＭＯ  ＲＩが１である場合：
・単一のプリコーディングマトリックスが集合Ｓサブバンドでの伝送を仮定するコードブックサブセットから選択される。
・ＵＥは、全てのサブバンドから単一のプリコーディングマトリックスの使用を仮定し、相応するサブバンドでの伝送を仮定する際計算される各集合Ｓサブバンドに対して一つのサブバンドＣＱＩ値を報告する。
・ＵＥは、全てのサブバンドから単一のプリコーディングマトリックスの使用を仮定し、集合Ｓサブバンドからの伝送を仮定する際計算されるワイドバンドＣＱＩ値を報告する。
・ＵＥは、単一の選択されたプリコーディングマトリックス指示子を報告する。
・ＵＥは、全てのサブバンドから相応する報告されたプリコーディングマトリックス指示子の案内（ｃｏｍｐａｎｉｏｎ）プロコーディングマトリックスの使用を仮定し、相応するサブバンドでの伝送を仮定する際計算される各集合Ｓサブバンドに対して一つのサブバンドＭＵ−ＣＱＩ値を報告する。
・ＵＥは、全てのサブバンドから相応する報告されたプリコーディングマトリックス指示子の案内（ｃｏｍｐａｎｉｏｎ）プロコーディングマトリックスの使用を仮定し、集合Ｓサブバンドでの伝送を仮定する際計算されるワイドバンドＭＵ−ＣＱＩ値を報告する
・各コードワードに対するサブバンドＣＱＩ値は、以下のように定義される２ビットを利用してそれぞれワイドバンドＣＱＩに対して互いに異なるように符号化される：
サブバンド差動ＣＱＩオフセットレベル＝
サブバンドＣＱＩインデックス−ワイドバンドＣＱＩインデックス
【０１０５】
ＳＵ−ＭＩＭＯ  ＲＩが１より大きい場合：
・単一のプリコーディングマトリックスが集合Ｓサブバンドでの伝送を仮定するコードブックサブセットから選択される。
・ＵＥは、全てのサブバンドから単一のプリコーディングマトリックスの使用を仮定し、相応するサブバンドでの伝送を仮定する際計算される各集合Ｓサブバンドに対してコードワード当たり一つのサブバンドＣＱＩ値を報告する。
・ＵＥは、全てのサブバンドから単一のプリコーディングマトリックスの使用を仮定し、集合Ｓサブバンドからの伝送を仮定する際計算されるコードワード当たりワイドバンドＣＱＩ値を報告する。
・ＵＥは、単一の選択されたプリコーディングマトリックス指示子を報告する。
・単一のプリコーディングマトリックスが集合Ｓサブバンドでの伝送を仮定するランク（ｒａｎｋ）１コードブックサブセットから選択される。
・ＵＥは、全てのサブバンドから相応するランク制限的（ｒａｎｋ−ｒｅｓｔｒｉｃｔｅｄ）プリコーディングマトリックス指示子の案内（ｃｏｍｐａｎｉｏｎ）プロコーディングマトリックスの使用を仮定し、相応するサブバンドでの伝送を仮定する際計算される各集合Ｓサブバンドに対して一つのサブバンドＭＵ−ＣＱＩ値を報告する。
・ＵＥは、全てのサブバンドから相応するランク制限的プリコーディングマトリックス指示子の案内（ｃｏｍｐａｎｉｏｎ）プロコーディングマトリックスの使用を仮定し、集合Ｓサブバンドでの伝送を仮定する際計算されるワイドバンドＭＵ−ＣＱＩ値を報告する
・ＵＥは、ランク制限的プリコーディングマトリックス指示子を報告する。
・各コードワードに対するサブバンドＣＱＩ値は、以下のように定義される２ビットを利用してそれぞれワイドバンドＣＱＩに対して互いに異なるように符号化される：
サブバンド差動ＣＱＩオフセットレベル＝
サブバンドＣＱＩインデックス−ワイドバンドＣＱＩインデックス
【０１０６】
プリコーディングマトリックスのＭＵ−ＣＵＩを計算する場合、ネットワークで使用される相応するプリコーディングマトリックスの案内プリコーディングマトリックスが仮定される。また、相応するプリコーディングマトリックスの案内プリコーディングマトリックスは各プリコーディングマトリックスに対して固定的であり、予め仮定される。
【０１０７】
３ＧＰＰ  Ｒｅｌｅａｓｅ１０及びそれ以上において、例えば、ＰＵＳＣＨフィードバックモードの少なくとも一つに対して以下のようなフィードバック内容が提案された：
【０１０８】
ＳＵ−ＭＩＭＯ  ＲＩが３より小さい場合：
・単一のプリコーディングマトリックスが集合Ｓサブバンドでの伝送を仮定するコードブックサブセットから選択される。
・ＵＥは、全てのサブバンドから単一のプリコーディングマトリックスの使用を仮定し、相応するサブバンドでの伝送を仮定する際計算される各集合Ｓサブバンドに対してコードワード当たり一つのサブバンドＣＱＩ値を報告する。
・ＵＥは、全てのサブバンドから単一のプリコーディングマトリックスの使用を仮定し、集合Ｓサブバンドからの伝送を仮定する際計算されるコードワード当たりワイドバンドＣＱＩ値を報告する。
・ＵＥは、単一の選択されたプリコーディングマトリックス指示子を報告する。
・ＵＥは、全てのサブバンドから相応する報告されたプリコーディングマトリックス指示子の案内（ｃｏｍｐａｎｉｏｎ）プロコーディングマトリックスの使用を仮定し、相応するサブバンドでの伝送を仮定する際計算される各集合Ｓサブバンドに対してコードワード当たり一つのサブバンドＭＵ−ＣＱＩ値を報告する。
・ＵＥは、全てのサブバンドから相応する報告されたプリコーディングマトリックス指示子の案内（ｃｏｍｐａｎｉｏｎ）プロコーディングマトリックスの使用を仮定し、集合Ｓサブバンドでの伝送を仮定する際計算されるコードワード当たりワイドバンドＭＵ−ＣＱＩ値を報告する。
・各コードワードに対するサブバンドＣＱＩ値は、以下のように定義される２ビットを利用してそれぞれワイドバンドＣＱＩに対して互いに異なるように符号化される：
サブバンド差動ＣＱＩオフセットレベル＝
サブバンドＣＱＩインデックス−ワイドバンドＣＱＩインデックス
【０１０９】
ＳＵ−ＭＩＭＯ  ＲＩが２より大きい場合：
・単一のプリコーディングマトリックスが集合Ｓサブバンドでの伝送を仮定するコードブックサブセットから選択される。
・ＵＥは、全てのサブバンドから単一のプリコーディングマトリックスの使用を仮定し、相応するサブバンドでの伝送を仮定する際計算される各集合Ｓサブバンドに対してコードワード当たり一つのサブバンドＣＱＩ値を報告する。
・ＵＥは、全てのサブバンドから単一のプリコーディングマトリックスの使用を仮定し、集合Ｓサブバンドからの伝送を仮定する際計算されるコードワード当たりワイドバンドＣＱＩ値を報告する。
・ＵＥは、単一の選択されたプリコーディングマトリックス指示子を報告する。
・単一のプリコーディングマトリックスが集合Ｓサブバンドでの伝送を仮定するランク（ｒａｎｋ）２コードブックサブセットから選択される。
・ＵＥは、全てのサブバンドから相応するランク制限的（ｒａｎｋ−ｒｅｓｔｒｉｃｔｅｄ）プリコーディングマトリックス指示子の案内（ｃｏｍｐａｎｉｏｎ）プロコーディングマトリックスの使用を仮定し、相応するサブバンドでの伝送を仮定する際計算される各集合Ｓサブバンドに対してコードワード当たり一つのサブバンドＭＵ−ＣＱＩ値を報告する。
・ＵＥは、全てのサブバンドから相応するランク制限的プリコーディングマトリックス指示子の案内（ｃｏｍｐａｎｉｏｎ）プロコーディングマトリックスの使用を仮定し、集合Ｓサブバンドでの伝送を仮定する際計算されるワイドバンドＭＵ−ＣＱＩ値を報告する。
・ＵＥは、ランク制限的プリコーディングマトリックス指示子を報告する。
・各コードワードに対するサブバンドＣＱＩ値は、以下のように定義される２ビットを利用してそれぞれワイドバンドＣＱＩに対して互いに異なるように符号化される：
サブバンド差動ＣＱＩオフセットレベル＝
サブバンドＣＱＩインデックス−ワイドバンドＣＱＩインデックス
【０１１０】
３ＧＰＰ  Ｒｅｌｅａｓｅ１０及びそれ以上において、例えば、ＰＵＳＣＨフィードバックモードの少なくとも一つに対して以下のようなフィードバック内容が提案された：
【０１１１】
ＳＵ−ＭＩＭＯ  ＲＩが１である場合：
・単一のプリコーディングマトリックスが集合Ｓサブバンドでの伝送を仮定するコードブックサブセットから選択される。
・ＵＥは、全てのサブバンドから単一のプリコーディングマトリックスの使用を仮定し、相応するサブバンドでの伝送を仮定する際計算される各集合Ｓサブバンドに対して一つのサブバンドＣＱＩ値を報告する。
・ＵＥは、全てのサブバンドから単一のプリコーディングマトリックスの使用を仮定し、集合Ｓサブバンドからの伝送を仮定する際計算されるワイドバンドＣＱＩ値を報告する。
・ＵＥは、単一の選択されたプリコーディングマトリックス指示子を報告する。
・各コードワードに対するサブバンドＣＱＩ値は、以下のように定義される２ビットを利用してそれぞれワイドバンドＣＱＩに対して互いに異なるように符号化される：
サブバンド差動ＣＱＩオフセットレベル＝
サブバンドＣＱＩインデックス−ワイドバンドＣＱＩインデックス
【０１１２】
ＳＵ−ＭＩＭＯ  ＲＩが1より大きい場合：
・単一のプリコーディングマトリックスが集合Ｓサブバンドでの伝送を仮定するコードブックサブセットから選択される。
・ＵＥは、全てのサブバンドから単一のプリコーディングマトリックスの使用を仮定し、相応するサブバンドでの伝送を仮定する際計算される各集合Ｓサブバンドに対してコードワード当たり一つのサブバンドＣＱＩ値を報告する。
・ＵＥは、全てのサブバンドから単一のプリコーディングマトリックスの使用を仮定し、集合Ｓサブバンドからの伝送を仮定する際計算されるコードワード当たりワイドバンドＣＱＩ値を報告する。
・ＵＥは、単一の選択されたプリコーディングマトリックス指示子を報告する。
・単一のプリコーディングマトリックスが集合Ｓサブバンドでの伝送を仮定するランク（ｒａｎｋ）１コードブックサブセットから選択される。
・ＵＥは、全てのサブバンドからランク制限的（ｒａｎｋ−ｒｅｓｔｒｉｃｔｅｄ）プリコーディングマトリックス指示子の使用を仮定し、相応するサブバンドでの伝送を仮定する際計算される各集合Ｓサブバンドに対して一つのサブバンドＣＱＩ値を報告する。
・ＵＥは、全てのサブバンドからランク制限的プリコーディングマトリックスの使用を仮定し、集合Ｓサブバンドからの伝送を仮定する際計算されるワイドバンドＣＱＩ値を報告する。
・ＵＥは、ランク制限的プリコーディングマトリックス指示子を報告する。 
・各コードワードに対するサブバンドＣＱＩ値は、以下のように定義される２ビットを利用してそれぞれワイドバンドＣＱＩに対して互いに異なるように符号化される：
サブバンド差動ＣＱＩオフセットレベル＝
サブバンドＣＱＩインデックス−ワイドバンドＣＱＩインデックス
【０１１３】
３ＧＰＰ  Ｒｅｌｅａｓｅ１０及びそれ以上において、例えば、ＰＵＳＣＨフィードバックモードの少なくとも一つに対して以下のようなフィードバック内容が提案された：
【０１１４】
ＳＵ−ＭＩＭＯ  ＲＩが３より小さい場合：
・単一のプリコーディングマトリックスが集合Ｓサブバンドでの伝送を仮定するコードブックサブセットから選択される。
・ＵＥは、全てのサブバンドから単一のプリコーディングマトリックスの使用を仮定し、相応するサブバンドでの伝送を仮定する際計算される各集合Ｓサブバンドに対してコードワード当たり一つのサブバンドＣＱＩ値を報告する。
・ＵＥは、全てのサブバンドから単一のプリコーディングマトリックスの使用を仮定し、集合Ｓサブバンドからの伝送を仮定する際計算されるコードワード当たりワイドバンドＣＱＩ値を報告する。
・ＵＥは、単一の選択されたプリコーディングマトリックス指示子を報告する。
・各コードワードに対するサブバンドＣＱＩ値は、以下のように定義される２ビットを利用してそれぞれワイドバンドＣＱＩに対して互いに異なるように符号化される：
サブバンド差動ＣＱＩオフセットレベル＝
サブバンドＣＱＩインデックス−ワイドバンドＣＱＩインデックス
【０１１５】
ＳＵ−ＭＩＭＯ  ＲＩが２より大きい場合：
・単一のプリコーディングマトリックスが集合Ｓサブバンドでの伝送を仮定するコードブックサブセットから選択される。
・ＵＥは、全てのサブバンドから単一のプリコーディングマトリックスの使用を仮定し、相応するサブバンドでの伝送を仮定する際計算される各集合Ｓサブバンドに対してコードワード当たり一つのサブバンドＣＱＩ値を報告する。
・ＵＥは、全てのサブバンドから単一のプリコーディングマトリックスの使用を仮定し、集合Ｓサブバンドからの伝送を仮定する際計算されるコードワード当たりワイドバンドＣＱＩ値を報告する。
・ＵＥは、単一の選択されたプリコーディングマトリックス指示子を報告する。
・単一のプリコーディングマトリックスが集合Ｓサブバンドでの伝送を仮定するランク（ｒａｎｋ）２コードブックサブセットから選択される。
・ＵＥは、全てのサブバンドからランク制限的（ｒａｎｋ−ｒｅｓｔｒｉｃｔｅｄ）プリコーディングマトリックス指示子の使用を仮定し、相応するサブバンドでの伝送を仮定する際計算される各集合Ｓサブバンドに対してコードワード当たり一つのサブバンドＣＱＩ値を報告する。
・ＵＥは、全てのサブバンドからランク制限的プリコーディングマトリックス指示子の使用を仮定し、集合Ｓサブバンドからの伝送を仮定する際計算されるワイドバンドＣＱＩ値を報告する。
・ＵＥは、ランク制限的プリコーディングマトリックス指示子を報告する。
・各コードワードに対するサブバンドＣＱＩ値は、以下のように定義される２ビットを利用してそれぞれワイドバンドＣＱＩに対して互いに異なるように符号化される：
サブバンド差動ＣＱＩオフセットレベル＝
サブバンドＣＱＩインデックス−ワイドバンドＣＱＩインデックス
【０１１６】
本開示は好ましい実施例をもって説明されたが、多様な変更及び変形が当業者に提案されてもよい。本開示は、添付した特許請求の範囲内におけるそのような変更及び修正を含むものとして意図されたものである。
【符号の説明】
【０１１７】
１００    異種ネットワーク（ｈｅｔｅｒｏｇｅｎｅｏｕｓ  ｎｅｔ，ＨｅｔＮｅｔ）
１１０・１８０    マクロｅＮＢ
１１５    マクロネットワークカバレッジ領域
１２０    ＷＩ−ＦＩネットワーク
１３０    ＷＩ−ＦＩフェムトネットワーク
１４０    リレー
１５０    ユーザ端末（ＵＥ）
１６０    家庭用ｅＮＢ（ＨｅＮＢ）フェムトネットワーク
１７０    ピコネットワーク
１８０    マイクロｅＮＢネットワーク
２１０・２３０・２５０    構成員
２３５    ハイブリッドＣＳＧ
２１５    ＯＳＧ
２２０・２４０・２６０    非構成員
２５５    ＣＳＧ
【図１】
0005646069.tif 000004
【図２】
0005646069.tif 000005
【図３】
0005646069.tif 000006
【図４】
0005646069.tif 000007
【図５】
0005646069.tif 000008
【図６】
0005646069.tif 000009
【図７】
0005646069.tif 000010
【図８】
0005646069.tif 000011
【図９】
0005646069.tif 000012